【手続補正書】
【提出日】平成30年6月28日(2018.6.28)
【手続補正１】
【補正対象書類名】明細書
【補正対象項目名】００８７
【補正方法】変更
【補正の内容】
【００８７】
本発明の様々な実施形態について記載してきた。これらの実施形態及び他の実施形態は、以下の特許請求の範囲に含まれるものである。本発明の実施態様の一部を以下の項目［１］−［３３］に記載する。
［１］
第１のバリア層と、
第２のバリア層と、
前記第１のバリア層と前記第２のバリア層との間の量子ドット層、とを含む量子ドットフィルム物品であって、前記量子ドット層が、硬化した接着剤組成物を含むマトリクス中に分散された量子ドットを含み、前記接着剤組成物が、
エポキシド、
硬化剤、及び放射線硬化性メタクリレート化合物を含み、
前記硬化剤が、
（ａ）化学式Ｉ、
Ｈ２Ｎ−ＣｎＨ２ｎ−Ａ−ＣｍＨ２ｍ−ＮＨ２          化学式Ｉ
（式中、Ａは、単環式若しくは多環式アルキレン基、又は単環式若しくは多環式ヘテロアルキレン基であり、ｍ及びｎは、各々独立して０〜５から選択される整数である）の化合物、並びに、
（ｂ）ポリエーテル主鎖へ結合する第一級アミノ基及び第二級アミノ基のうちの少なくとも１つを有する、ポリエーテルアミン化合物を含むものである、量子ドットフィルム物品。
［２］
前記エポキシドが、ビスフェノールＦ主鎖を含む、項目１に記載のフィルム物品。
［３］
前記エポキシドが、ジエポキシドである、項目１又は２に記載のフィルム物品。
［４］
化学式Ｉ中のＡが、化学式ＩＩ、
【化１】
2017524152.tif 000001
（式中、Ｒ１、Ｒ２、Ｒ３、及びＲ４は各々、水素原子又はメチル基のいずれかを表し、ｘ及びｙは各々独立して、０又は１から選択され、アスタリスク（＊）は、化学式Ｉへの結合位置を表す）の基である、項目１〜３のいずれかに記載のフィルム物品。
［５］
化学式Ｉ中のＡが、化学式ＩＩＩ、
【化２】
2017524152.tif 000002
（式中、Ｒ５及びＲ６は各々、水素又はメチル基のいずれかを表し、ｘ及びｙは各々独立して、０又は１から選択され、アスタリスク（＊）は、化学式Ｉへの結合位置を表す）の基である、項目１〜３のいずれかに記載のフィルム物品。
［６］
前記化学式Ｉの化合物が、以下の
（ａ）３（又は４），８（又は９）−ジアミノメチルトリシクロ［５，２，１，０２．６］デカン
【化３】
2017524152.tif 000003
（ｂ）４，９（又は１０）−ジアミノメチルテトラシクロ［６，２，１，１３．６，０２．７］ドデカン
又は、
【化４】
2017524152.tif 000004
（ｃ）２，５（又は６）−ジアミノメチルビシクロ［２，２，１］ヘプタン
【化５】
2017524152.tif 000005
のうちの１つで表される、項目１〜５のいずれかに記載のフィルム物品。
［７］
前記接着剤組成物が光開始剤を更に含む、項目１〜６のいずれかに記載のフィルム物品。
［８］
前記ポリエーテルアミン化合物の前記ポリエーテル主鎖が、プロピレングリコール（ＰＧ）、エチレングリコール（ＥＧ）、ポリテトラメチレングリコール（ＰＴＭＥＧ）、及びそれらの組み合わせの繰り返し単位を含む、項目１〜７のいずれかに記載のフィルム物品。
［９］
前記ポリエーテルアミン化合物が化学式ＩＶ、
Ｒ７−（ＮＨＲ８）ｙ          化学式ＩＶ
（化学式ＩＶ中、Ｒ７は、化学式−（Ｒ９−Ｏ）−の基を少なくとも２個有する、一価、二価、又は三価のポリエーテルラジカルであり、Ｒ９は、１〜４個の炭素原子を有する、直鎖状又は分枝状アルキレンであり、Ｒ８は、水素又はアルキルであり、ｙは、１、２、又は３に等しい）で表される、項目１〜８のいずれかに記載のフィルム物品。
［１０］
前記ポリアミン化合物が化学式Ｖ、
Ｒ１０−（Ｏ−Ｒ１１）ｑ−ＮＨ２          化学式Ｖ
（化学式Ｖ中、Ｒ１０基は、１〜４個の炭素原子を有するアルキルであり、Ｒ１１基は独立して、１〜４個の炭素原子を有する分枝状又は直鎖状アルキレンであり、ｑは、少なくとも２に等しい）で表される、項目９に記載のフィルム物品。
［１１］
前記ポリエーテルアミン化合物が、化学式ＶＩ、
Ｈ２Ｎ−Ｒ１２−（ＯＲ１３）ｐ−ＮＨ２          化学式ＶＩ
（化学式ＶＩ中、Ｒ１２及びＲ１３は、各々独立して、１〜４個の炭素原子を有する分枝状又は直鎖状アルキレンであり、ｐは少なくとも２に等しい）で表される、項目９に記載のフィルム物品。
［１２］
前記ポリエーテルアミン化合物が、４，７，１０−トリオキサトリデカン−１，１３，−ジアミンである、項目１１に記載のフィルム物品。
［１３］
前記ポリエーテルアミン化合物がポリエーテルトリアミンを含む、項目１に記載のフィルム物品。
［１４］
前記ポリエーテルアミン化合物が、第二級アミン基を有するポリエーテルジアミン又はポリエーテルトリアミンを含む、項目１に記載のフィルム物品。
［１５］
前記接着剤組成物中での、前記化学式Ｉの化合物の前記ポリエーテルアミン化合物に対する比が、約１：１〜約１０：１から約１：１０〜約１：１である、項目１〜１４のいずれかに記載のフィルム物品。
［１６］
前記マトリクスが、約５重量％〜約２５重量％の前記メタクリレート化合物、及び、前記エポキシドと前記硬化剤との反応から形成される７０〜９０重量％のエポキシポリマー、を含む、項目１〜１５のいずれかに記載のフィルム物品。
［１７］
前記硬化剤中での、エポキシのアミンに対する化学量論比が、アミン水素に対し、約０．６〜約１．４のエポキシである、項目１〜１６のいずれかに記載のフィルム物品。
［１８］
前記マトリクスが、１〜１０マイクロメートルの範囲の平均粒径を有する散乱粒子を更に含む、項目１〜１７のいずれかに記載のフィルム物品。
［１９］
前記第１のバリア層及び前記第２のバリア層のうちの少なくとも１つが、少なくとも１つのポリマーフィルムを有する、項目１〜１８のいずれかに記載のフィルム物品。
［２０］
前記マトリクスが、８５℃で５００時間後に約０．５ｍｍ未満の水分及び酸素侵入を有する、項目１〜１９のいずれかに記載のフィルム物品。
［２１］
前記マトリクスが、８５℃で１００時間後に、１９３１年採択のＣＩＥ（ｘ，ｙ）の規定を使用して約０．０２未満の色ズレｄ（ｘ，ｙ）を有する、項目１〜２０のいずれかに記載のフィルム物品。
［２２］
前記マトリクスが、８５℃で１００時間後に、１９３１年採択のＣＩＥ（ｘ，ｙ）の規定を使用して約０．００５未満の変色ｄ（ｘ，ｙ）を有する、項目１〜２１のいずれかに記載のフィルム物品。
［２３］
項目１〜２２のいずれかに記載のフィルム物品を備える、表示デバイス。
［２４］
第１のポリマーフィルム上に量子ドット材料をコーティングすることを含む、フィルム物品の製造方法であって、前記量子ドット材料が、接着剤組成物中の量子ドットを含み、前記接着剤組成物が、
エポキシド、
硬化剤、
放射線硬化性メタクリレート化合物、及び
光開始剤を含み、
前記硬化剤が、
ａ）化学式Ｉ、
Ｈ２Ｎ−ＣｎＨ２ｎ−Ａ−ＣｍＨ２ｍ−ＮＨ２          化学式Ｉ
（式中、Ａは、単環式若しくは多環式アルキレン基、又は単環式若しくは多環式ヘテロアルキレン基であり、ｍ及びｎは、各々独立して０〜５から選択される整数である）のアミノ官能性化合物、並びに、
（ｂ）ポリエーテル主鎖へ結合する第一級アミノ基及び第二級アミノ基のうちの少なくとも１つを有し、前記主鎖は、プロピレングリコール（ＰＧ）、エチレングリコール（ＥＧ）、ポリテトラメチレングリコール（ＰＴＭＥＧ）、及びそれらの組み合わせの繰り返し単位を含む、ポリエーテルジアミン化合物を含むものである、
フィルム物品の製造方法。
［２５］
前記接着剤組成物を硬化することを更に含む、項目２４に記載の方法。
［２６］
前記接着剤組成物上に第２のポリマーフィルムを適用することを更に含む、項目２５に記載の方法。
［２７］
前記接着剤組成物を硬化することを更に含む、項目２６に記載の方法。
［２８］
前記接着剤組成物が、前記組成物に熱及びＵＶ光を適用することによって硬化する、項目２４〜２７のいずれかに記載の方法。
［２９］
前記ポリエーテルジアミン化合物が、化学式ＶＩ、
Ｈ２Ｎ−Ｒ１２−（ＯＲ１３）ｐ−ＮＨ２          化学式ＶＩ
（化学式ＶＩ中、Ｒ１２及びＲ１３は、各々独立して、１〜４個の炭素原子を有する分枝状又は直鎖状アルキレンであり、ｐは少なくとも２に等しい）で表される、項目２４〜２８のいずれかに記載の方法。
［３０］
前記ポリエーテルジアミン化合物が、４，７，１０−トリオキサトリデカン−１，１３，−ジアミンである、項目２９に記載の方法。
［３１］
前記硬化剤中での、エポキシのアミンに対する化学量論比が、アミン水素に対し、約０．６〜約１．４のエポキシである、項目２４〜３０のいずれかに記載の方法。
［３２］
エポキシド、
硬化剤、
放射線硬化性メタクリレート化合物、
光開始剤、及び
量子ドット、を含む接着剤組成物であって、
前記硬化剤が、
（ａ）化学式Ｉ、
Ｈ２Ｎ−ＣｎＨ２ｎ−Ａ−ＣｍＨ２ｍ−ＮＨ２          化学式Ｉ
（式中、Ａは、単環式若しくは多環式アルキレン基、又は単環式若しくは多環式ヘテロアルキレン基であり、ｍ及びｎは、各々独立して０〜５から選択される整数である）のアミノ官能性化合物、及び、
（ｂ）化学式ＶＩ、
Ｈ２Ｎ−Ｒ１２−（ＯＲ１３）ｐ−ＮＨ２          化学式ＶＩ
（化学式ＶＩ中、Ｒ１２及びＲ１３は、各々独立して、１〜４個の炭素原子を有する分枝状又は直鎖状アルキレンであり、ｐは少なくとも２に等しい）で表されるポリエーテルジアミン化合物を含むものである、接着剤組成物。
［３３］
エポキシド、
硬化剤、
光開始剤、及び
量子ドット、を含む接着剤組成物であって、
前記硬化剤が、
（ａ）化学式Ｉ、
Ｈ２Ｎ−ＣｎＨ２ｎ−Ａ−ＣｍＨ２ｍ−ＮＨ２          化学式Ｉ
（式中、Ａは、単環式若しくは多環式アルキレン基、又は単環式若しくは多環式ヘテロアルキレン基であり、ｍ及びｎは、各々独立して０〜５から選択される整数である）のアミノ官能性化合物、及び、
（ｂ）化学式ＶＩ、
Ｈ２Ｎ−Ｒ１２−（ＯＲ１３）ｐ−ＮＨ２          化学式ＶＩ
（化学式ＶＩ中、Ｒ１２及びＲ１３は、各々独立して、１〜４個の炭素原子を有する分枝状又は直鎖状アルキレンであり、ｐは少なくとも２に等しい）で表されるポリエーテルジアミン化合物のブレンドを含むものである、接着剤組成物。
【手続補正２】
【補正対象書類名】特許請求の範囲
【補正対象項目名】全文
【補正方法】変更
【補正の内容】
【特許請求の範囲】
【請求項１】
第１のバリア層と、
第２のバリア層と、
前記第１のバリア層と前記第２のバリア層との間の量子ドット層、とを含む量子ドットフィルム物品であって、前記量子ドット層が、硬化した接着剤組成物を含むマトリクス中に分散された量子ドットを含み、前記接着剤組成物が、
エポキシド、
硬化剤、及び放射線硬化性メタクリレート化合物を含み、
前記硬化剤が、
（ａ）化学式Ｉ、
Ｈ２Ｎ−ＣｎＨ２ｎ−Ａ−ＣｍＨ２ｍ−ＮＨ２          化学式Ｉ
（式中、Ａは、単環式若しくは多環式アルキレン基、又は単環式若しくは多環式ヘテロアルキレン基であり、ｍ及びｎは、各々独立して０〜５から選択される整数である）の化合物、並びに、
（ｂ）ポリエーテル主鎖へ結合する第一級アミノ基及び第二級アミノ基のうちの少なくとも１つを有する、ポリエーテルアミン化合物を含むものである、量子ドットフィルム物品。
【請求項２】
化学式Ｉ中のＡが、化学式ＩＩ、
【化１】
2017524152.tif 000006
（式中、Ｒ１、Ｒ２、Ｒ３、及びＲ４は各々、水素原子又はメチル基のいずれかを表し、ｘ及びｙは各々独立して、０又は１から選択され、アスタリスク（＊）は、化学式Ｉへの結合位置を表す）の基である、請求項１に記載のフィルム物品。
【請求項３】
化学式Ｉ中のＡが、化学式ＩＩＩ、
【化２】
2017524152.tif 000007
（式中、Ｒ５及びＲ６は各々、水素又はメチル基のいずれかを表し、ｘ及びｙは各々独立して、０又は１から選択され、アスタリスク（＊）は、化学式Ｉへの結合位置を表す）の基である、請求項１に記載のフィルム物品。
【請求項４】
第１のポリマーフィルム上に量子ドット材料をコーティングすることを含む、フィルム物品の製造方法であって、前記量子ドット材料が、接着剤組成物中の量子ドットを含み、前記接着剤組成物が、
エポキシド、
硬化剤、
放射線硬化性メタクリレート化合物、及び
光開始剤を含み、
前記硬化剤が、
ａ）化学式Ｉ、
Ｈ２Ｎ−ＣｎＨ２ｎ−Ａ−ＣｍＨ２ｍ−ＮＨ２          化学式Ｉ
（式中、Ａは、単環式若しくは多環式アルキレン基、又は単環式若しくは多環式ヘテロアルキレン基であり、ｍ及びｎは、各々独立して０〜５から選択される整数である）のアミノ官能性化合物、並びに、
（ｂ）ポリエーテル主鎖へ結合する第一級アミノ基及び第二級アミノ基のうちの少なくとも１つを有し、前記主鎖は、プロピレングリコール（ＰＧ）、エチレングリコール（ＥＧ）、ポリテトラメチレングリコール（ＰＴＭＥＧ）、及びそれらの組み合わせの繰り返し単位を含む、ポリエーテルジアミン化合物を含むものである、
フィルム物品の製造方法。
【請求項５】
エポキシド、
硬化剤、
放射線硬化性メタクリレート化合物、
光開始剤、及び
量子ドット、を含む接着剤組成物であって、
前記硬化剤が、
（ａ）化学式Ｉ、
Ｈ２Ｎ−ＣｎＨ２ｎ−Ａ−ＣｍＨ２ｍ−ＮＨ２          化学式Ｉ
（式中、Ａは、単環式若しくは多環式アルキレン基、又は単環式若しくは多環式ヘテロアルキレン基であり、ｍ及びｎは、各々独立して０〜５から選択される整数である）のアミノ官能性化合物、及び、
（ｂ）化学式ＶＩ、
Ｈ２Ｎ−Ｒ１２−（ＯＲ１３）ｐ−ＮＨ２          化学式ＶＩ
（化学式ＶＩ中、Ｒ１２及びＲ１３は、各々独立して、１〜４個の炭素原子を有する分枝状又は直鎖状アルキレンであり、ｐは少なくとも２に等しい）で表されるポリエーテルジアミン化合物を含むものである、接着剤組成物。
【請求項６】
エポキシド、
硬化剤、
光開始剤、及び
量子ドット、を含む接着剤組成物であって、
前記硬化剤が、
（ａ）化学式Ｉ、
Ｈ２Ｎ−ＣｎＨ２ｎ−Ａ−ＣｍＨ２ｍ−ＮＨ２          化学式Ｉ
（式中、Ａは、単環式若しくは多環式アルキレン基、又は単環式若しくは多環式ヘテロアルキレン基であり、ｍ及びｎは、各々独立して０〜５から選択される整数である）のアミノ官能性化合物、及び、
（ｂ）化学式ＶＩ、
Ｈ２Ｎ−Ｒ１２−（ＯＲ１３）ｐ−ＮＨ２          化学式ＶＩ
（化学式ＶＩ中、Ｒ１２及びＲ１３は、各々独立して、１〜４個の炭素原子を有する分枝状又は直鎖状アルキレンであり、ｐは少なくとも２に等しい）で表されるポリエーテルジアミン化合物のブレンドを含むものである、接着剤組成物。